(57)【要約】【課題】原稿読取装置で原稿を読取る際の、原稿表面の凹凸影の影響を抑止する。【解決手段】通常の紙原稿の読取用の第１光源のほかに、第１光源からの光の照射方向よりも原稿５０１の原稿面に対して垂直に近く、且つ、垂直ではない方向から、それぞれ第１光源よりも原稿面照度が小さい光を原稿の読取箇所に照射する一対の第２光源を、光沢性の高い原稿の読取に用いる。この一対の第２光源から照射された光の反射光を光電変換し、その結果を合成して、光沢性の高い原稿の画像データとする。【選択図】図７
2014230116.tif 000002
【特許請求の範囲】
【請求項１】
主走査方向に延びる読取領域における原稿を照明する第１照明手段と、
主走査方向に延びる読取領域における前記原稿を照明する第２照明手段と、
前記第１照明手段によって照明された前記原稿からの反射光を受光し第１画像データを出力し、前記第２照明手段によって照明された前記原稿からの反射光を受光し第２画像データを出力する読取手段と、
前記第１画像データおよび前記第２画像データとから出力画像データを生成する生成手段とを有し、
前記第１照明手段および第２照明手段は、前記主走査方向に直交する副走査方向における前記読取領域の両側から前記読取領域における原稿を照明し、
前記第２照明手段からの光の軸と前記読取手段が受光する前記第２照明手段によって照明された前記原稿からの反射光の軸とによって形成される第２角度は、前記第１照明手段からの光の軸と前記読取手段が受光する前記第１照明手段によって照明された前記原稿からの反射光の軸とによって形成される第１の角度より小さいことを特徴とする、
原稿読取装置。
【請求項２】
前記第２照明手段の照度は、前記第１照明手段の照度より小さいことを特徴とする、
請求項１に記載の原稿読取装置。
【請求項３】
前記第１照明手段は前記主走査方向に配列された複数の光源と導光体とを有し、
前記第２照明手段は主走査方向に延びる導光体と、該導光体の端部に配置された光源とを有することを特徴とする、
請求項１または２に記載の原稿読取装置。
【請求項４】
前記第１照明手段は、前記副走査方向における前記読取領域の両側に配置された複数の照明部を有し、
前記第２照明手段は、前記副走査方向における前記読取領域の両側に配置された複数の照明部を有することを特徴とする、
請求項１乃至３のいずれか一項に記載の原稿読取装置。
【請求項５】
前記第１照明手段は、光源と、前記副走査方向において前記読取領域に対して該光源の反対側に配置された第１反射板とを有することを特徴とする、
請求項１乃至４のいずれか一項に記載の原稿読取装置。
【請求項６】
前記第２照明手段は、光源と、前記副走査方向において前記読取領域に対して該光源の反対側に配置された第２反射板とを有することを特徴とする、
請求項１乃至５のいずれか一項に記載の原稿読取装置。
【請求項７】
さらに、前記原稿が載置される原稿台と、
前記第１照明手段および前記第２照明手段を前記副走査方向に移動させる手段とを有し、
前記読取手段は、
前記第１照明手段および前記第２照明手段を往路に移動させる際に、前記第１照明手段によって照明された前記原稿からの反射光を受光し第１画像データを出力し、
前記第１照明手段および前記第２照明手段を復路に移動させる際に、前記第２照明手段によって照明された前記原稿からの反射光を受光し第２画像データを出力することを特徴とする、
請求項１乃至６のいずれか一項に記載の原稿読取装置。
【請求項８】
前記読取手段により出力された前記第１画像データと前記第２画像データとの組み合わせ結果と、前記原稿の種類毎に定めた組み合わせ基準値とを比較し、比較結果により原稿の種類を判別する判別手段を有すること特徴とする、
請求項１乃至７いずれか一項に記載の原稿読取装置。
【請求項９】
前記生成手段は、判別された前記原稿の種類に応じて、前記第１画像データと前記第２画像データのいずれか一方を選択し、選択した画像データに基づいて出力画像データを生成することを特徴とする、
請求項８に記載の原稿読取装置。
【発明の詳細な説明】
【技術分野】
【０００１】
本発明は、原稿を読み取り、出力画像データを生成する原稿読取装置に関する。
【背景技術】
【０００２】
原稿読取装置は、光源から原稿に向けて光を照射した後、原稿表面からの反射光を光電変換素子に導くように構成されるのが一般的である。原稿は、一般的には多少の凹凸のある紙原稿であるが、写真や金属光沢を発する原稿のものもある。光電変換素子は、このような原稿に印刷された内容を表す画像データを生成することになる。
図１５及び図１６は、一般的な紙原稿に照射された光が反射する方向を、矢印線で示した模式的図である。紙原稿５０の原稿表面が粗く、微小な凹凸が多数存在する場合、図１５に示すように、照射光６０は、この凹凸でそれぞれ反射される。そのため、反射光７１は、様々な方向へ拡散する。一方、箔押がされたものや、写真などの光沢性の高い原稿５１の表面に向けて照射された照射光６０の反射光７１は、図１６に示すように、ほとんど正反射光（入射角と対称な方向への反射、入射角と反射角がともにθ）７２に近いものとなる。
【０００３】
このように、原稿の表面状態（読取箇所の状態）によって、正反射光７２の割合が大きく変化する。
しかし、従来の原稿読取装置では、原稿５０、５１の表面に対して垂直方向に拡散する光を光電変換素子へと導く。そのため、光沢性の高い原稿５１の場合、正反射光７２の割合が非常に高くなり拡散光が低くなるが、この正反射光７２は、光電変換素子には導かれない。その結果、画像データは、輝度の低い画像を表すものになってしまうという問題がある。
【０００４】
このような問題を解決する技術として、例えば特許文献１に開示された画像読取装置がある。この画像読取装置では、紙原稿を読取るための通常の第１光源に加え、光沢原稿の読取専用の第２光源を備えている。
第２光源は、第１光源と同一の発光波長の光を、第１光源とは異なる照射角度で原稿に照射させる。光沢性の高い原稿の場合、その読取りは、原稿表面に対して斜め方向、もしくは真下から照射された第２光源の正反射光を光電変換素子へと導く。また、光沢性の高い原稿では、第２光源と原稿の間に液晶シャッタなどの調光手段を備えることで、第２光源による原稿表面への照射光量を低下させている。
【先行技術文献】
【特許文献】
【０００５】
【特許文献１】特開２００４−２７４２９９号公報
【発明の概要】
【発明が解決しようとする課題】
【０００６】
しかしながら、特許文献１に開示された画像読取装置には、以下の課題が残る。
図１７（ａ）は、原稿の表面状態、例えば光沢性や平面性、表面粗さなどが理想的な鏡面である場合の、読取箇所Ａ〜Ｆにおける反射光の様子を示した模式図である。図１７（ｂ）は、特許文献１に開示された画像読取装置で読取られて出力される、読取箇所Ａ〜Ｆにおける画像データ（２５６階調での輝度値）を示す。
【０００７】
また、図１８（ａ）は、原稿の表面状態が光沢性の高い原稿の場合の、読取箇所Ａ〜Ｆにおける反射光の様子を示した模式図である。図１８（ｂ）は、特許文献１に開示された画像読取装置で読取られて出力される、読取箇所Ａ〜Ｆにおける画像データ（２５６階調での輝度値）を示す。
【０００８】
特許文献１に開示された画像読取装置では、第２光源の正反射光の経路に第１ミラーを設置し、この正反射光を、第２ミラー、第３ミラーのように複数のミラーを経て光電変換素子へと導く。図１７（ａ）に示すように、反射光が正反射光のみとなる理想的な鏡面であれば、反射光は、第１ミラーへ向かう経路を進む。そのため、図１７（ｂ）に示すように、読取箇所Ａ〜Ｆにおいて正しい画像データが得られる。しかし、実際には、光沢性の高い原稿であっても、表面状態としては多少の凹凸があることが一般的である。そのため、反射光の中で正反射光となる割合は高いものの、全てがそうなるというものではない。
【０００９】
この場合、一方向からのみ光を照射する特許文献１の画像読取装置では、図１８（ａ）に示すように、正反射光の方向とは異なる方向に進む反射光が生じる。そのため、反射光をほとんど光電変換素子へと導くことができず、例えば図１８（ｂ）に示す読取箇所Ａの画像データや、読取箇所Ｆの画像データなどが生じてしまう。その結果、読取られた画像は、金属光沢上に黒い影（以下、凹凸影という場合もある。）が多数存在してしまう。
【００１０】
本発明は、原稿の光沢領域に凸凹影が生じることを抑制し、原稿に含まれる非光沢領域および光沢領域を高精度に読み取ることができるようにすることを目的とする。
【課題を解決するための手段】
【００１１】
本発明の原稿読取装置は、主走査方向に延びる読取領域における原稿を照明する第１照明手段と、主走査方向に延びる読取領域における前記原稿を照明する第２照明手段と、前記第１照明手段によって照明された前記原稿からの反射光を受光し第１画像データを出力し、前記第２照明手段によって照明された前記原稿からの反射光を受光し第２画像データを出力する読取手段と、前記第１画像データおよび前記第２画像データとから出力画像データを生成する生成手段とを有し、前記第１照明手段および第２照明手段は、前記主走査方向に直交する副走査方向における前記読取領域の両側から前記読取領域における原稿を照明し、前記第２照明手段からの光の軸と前記読取手段が受光する前記第２照明手段によって照明された前記原稿からの反射光の軸とによって形成される第２角度は、前記第１照明手段からの光の軸と前記読取手段が受光する前記第１照明手段によって照明された前記原稿からの反射光の軸とによって形成される第１の角度より小さいことを特徴とする。
【発明の効果】
【００１２】
本発明によれば、原稿の光沢領域に凸凹影が生じることを抑制し、原稿に含まれる非光沢領域および光沢領域を高精度に読み取ることができる。
【図面の簡単な説明】
【００１３】
【図１】（ａ）は、第１実施形態例の原稿読取装置の概略縦断面図。（ｂ）は、照明ユニットの略縦断面図。
【図２】（ａ）は、一方側から光を照射した場合の、原稿の読取箇所における反射光の様子を示した模式図。（ｂ）は、読取箇所の画像データを示す図。
【図３】図２（ａ）の場合とは反対の一方側から光を照射した場合の、原稿の読取箇所における反射光の様子を示した模式図。（ｂ）は、読取箇所の画像データを示す図。
【図４】（ａ）は、一対の第２光源から光を照射した場合の、原稿の読取箇所における反射光の様子を示した模式図。（ｂ）は、読取箇所の画像データを示す図。
【図５】（ａ）は、第１光源の構成例を示す略縦断面図。（ｂ）は、略上面図。
【図６】（ａ）は、第２光源の構成例を示す略縦断面図。（ｂ）は、略上面図。
【図７】第１実施形態の照明ユニットの構成例を示す略縦断面図。
【図８】原稿読取装置の制御機構の構成ブロック図。
【図９】読取処理の制御手順説明図。
【図１０】原稿種類の判定手法の説明図。
【図１１】第２実施形態例の照明ユニットの構成例を示す略縦断面図。
【図１２】（ａ）は、紙原稿を読取るための第１光源の構成例を示す略縦断面図。（ｂ）は、その上面図。
【図１３】（ａ）は、光沢性の高い原稿を読取るための第２光源の構成例を示す略縦断面図。（ｂ）はその上面図。
【図１４】第２実施形態の照明ユニットの構成例を示す略縦断面図。
【図１５】紙原稿に照射された光の反射方向を矢印線で示した模式的図。
【図１６】光沢性の高い原稿の表面に向けて照射された光の反射方向を矢印線で示した模式的図。
【図１７】（ａ）は、原稿の表面状態、例えば光沢性や平面性、表面粗さなどが理想的な鏡面である場合の、読取箇所における反射光の様子を示した模式図。（ｂ）は、読取箇所における画像データを示す図。
【図１８】（ａ）は、原稿の表面状態が光沢性の高い原稿の場合の、読取箇所における反射光の様子を示した模式図。（ｂ）は、読取箇所における画像データを示す図。
【発明を実施するための形態】
【００１４】
以下、図面を参照して本発明の実施形態例を説明する。
【００１５】
［第１実施形態例］
［原稿読取装置の構成］
図１（ａ）は、第１実施形態に係る原稿読取装置５００の概略縦断面図である。
この原稿読取装置５００は、読取対象となる原稿５０１を押圧するための圧板５０２と、原稿５０１をその読取面（以下、「原稿面」という。）を対向させて載置する原稿台ガラス５０３とを備える。原稿読取装置５００は、また、紙原稿を読み取るための一対の第１光源５０４（５０４ａ、５０４ｂ）及び、一対の第２光源５０５（５０５ａ、５０５ｂ）を備える。また、原稿５０１の反射光Ｒを光電変換素子５１０に導くための反射光導光手段として、第１ミラー５０６、第２ミラー５０７、第３ミラー５０８、集光レンズ５０９を備える。さらに、原稿５０１を読取る際に移動する照明ユニット５１１、反射光を光電変換素子５１０に導くために、照明ユニット５１１と連動して可動する導光ユニット５１２を備える。原稿読取装置５００は、図示しない制御機構により統括的に制御される。
光電変換素子５１０は、複数の光電変換素子が配置されているラインセンサである。そして、本件では原稿台ガラス５０３に載置されている原稿を読み取るために照明ユニットが移動する方向が副走査方向である。そして、ラインセンサである光電変換素子５１０が一度に読み取り可能である１ラインを構成する方向が主走査方向である。主走査方向は副走査方向に直交している。照明ユニット５１１の移動位置に応じて、読取領域は副走査方向に移動する。光電変換素子５１０は、照明ユニット５１１の移動位置に応じて決定される副走査位置における主走査方向に延びる１ラインを読み取る。
【００１６】
詳細は後述するが、原稿読取装置５００による原稿読取りにおいては、原稿５０１が光沢性の低い紙原稿の場合、第１光源５０４から照射された光の反射光を光電変換した第１画像データが採用される。他方、原稿５０１が光沢性の高い光沢原稿と判定された場合は、第２光源５０５から照射された光の反射光を光電変換した第２画像データが採用される。原稿の光沢性については、後述する組み合わせ基準値により判別される。
【００１７】
第２光源５０５は、第１光源５０４に比べて、読取箇所における原稿面照度が小さいもの、すなわち光量が少ないものである。光沢性の低い紙原稿では、反射光が拡散するため、照射光の一部が光電変換素子５１０へと導かれるのに対して、光沢性の高い原稿の場合、反射光は、ほとんど拡散しない。そのため、第１光源５０４と第２光源５０５とが同じ光量では、光沢性の高い原稿の場合に、光電変換素子５１０の受光限界量を超えてしまうことから、第２光源５０５の原稿面照度を小さくしている。
【００１８】
図１（ｂ）は、照明ユニット５１１の構成例を示す略縦断面図である。第１光源５０４は、第１光源５０４ａおよび５０４ｂによって構成され、読取位置から垂線を対象軸として線対象に配置されそれぞれの位置から読取箇所に向けて第１光源の光Ｌ１ａ、光Ｌ１ｂを照射する。第２光源５０５は、第２光源５０５ａおよび５０５ｂによって構成され、原稿５０１の読取箇所から垂線を対象軸として線対象に配置され、それぞれの位置から読取箇所に向けて第１光源の光Ｌ２ａ、光Ｌ２ｂそれぞれを照射する。読取位置の垂線に対する第１光源５０４からの光の照射角度をθ１、第２光源５０５からの光の照射角度をθ２とすると、第１光源５０４，第２光源５０５は、θ１＞θ２＞０［°］となるように配備される。これは、以下の理由による。
【００１９】
光沢性の高い原稿であっても、少なからず、その表面には凹凸がある。しかし、照射光が正反射以外の方向にも反射はするものの、基本的には、正反射方向の近辺に集まる。そのため、照射角度が大きい場合は、光電変換素子５１０に反射光が導かれない。また、必要性は後述するが、第２光源を用いて原稿を両側から照らす必要がある。つまり、θ２＝０°にした場合、両側から照らすことができないので、θ２＝０°にすることができない。よって、θ１＞θ２＞０［°］とすることが必要である。本実施形態では、θ２を、１［°］から１０［°］の範囲で設定する。
【００２０】
図２（ａ）は、原稿５０１の読取箇所に向けて、第２光源５０５の一方側からのみ光を照射して読取りを行った場合の、原稿５０１の読取箇所Ａ〜Ｆにおける反射光の様子を示した模式図である。
図２（ａ）の例では、図正面左斜め下側から、原稿５０１の読取箇所Ａ〜Ｆに向けて、第２光源５０５ａの光Ｌ２ａが照射されている。読取箇所Ａには、図１（ａ）、（ｂ）における第１ミラー５０６の方向、すなわち、反射光が、光電変換素子５１０へ導かれる方向が示されている。他の読取箇所Ｂ〜Ｆについては、第１ミラー５０６の方向は省略されているが、読取箇所Ａの場合と同じ方向となる。図２（ｂ）は、この条件で読取られて出力される、読取箇所Ａ〜Ｆの画像データ（２５６階調での輝度値。以下同じ。）である。読取箇所Ａ、Ｃ、Ｆでは正しく読取られている。しかし、読取箇所Ｂ、Ｅでは反射光がほとんど光電変換素子５１０へと導かれない。その結果、読取箇所Ａ、Ｃ、Ｆは明るい画像として出力され、読取箇所Ｂ、Ｅでは暗い画像として出力される。
【００２１】
図３（ａ）は、図２（ａ）の場合とは反対の一方側から、第２光源の光Ｌ２ｂを照射して読取りを行った場合の、原稿５０１の読取箇所Ａ〜Ｆにおける反射光の様子を示した模式図である。第１ミラー５０６の方向は、図２（ａ）で示した方向と同じである。図３（ａ）の例では、図正面右斜め下側から、原稿５０１の読取箇所に向けて、光が照射されている。図３（ｂ）は、この条件で読取られて出力される、読取箇所Ａ〜Ｆの画像データである。図２（ｂ）との比較では、読取箇所Ｂ、Ｅでは明るい画像として出力され、読取箇所Ａ、Ｆ、Ｅでは暗い画像として出力される。
【００２２】
図４（ａ）は、一対の第２光源５０５ａ、ｂの双方から光を照射して読取りを行った場合の、原稿５０１の読取箇所Ａ〜Ｆにおける反射光の様子を示した模式図である。すなわち、図正面左斜め下側と右斜め下側とから、原稿５０１の読取箇所に向けて、光が照射されている。図４（ｂ）は、この条件で読取られて出力される、読取箇所Ａ〜Ｆの画像データである。
このように、２つの第２光源５０５の配置位置からそれぞれ光を照射して読取った場合には、図２（ｂ）に示した画像データと図３（ｂ）に示した画像データとを足し合わせた画像データとなる。すなわち、読取箇所Ａ〜Ｆは、すべて明るい画像として出力される。そのため、２つの第２光源５０５により２方向から光を照射して読取ることで、原稿の表面状態に多少の凹凸があっても、凹凸影は発生せず、正確な読取りが可能になる。
【００２３】
図５（ａ）は、第１光源５０４ａの構成例を示す略縦断面図、同（ｂ）は、その略上面図であり、主として特徴的な部分を掲示してある。第１光源５０４ｂも第１光源５０４ａと同様の構成を有しており、照射光の方向が逆になるように各構成の配置が逆になっている。そして、図１に示したように、読取領域から垂線を対象軸として線対象の位置に配置されている。第１光源５０４ａは、基板７０２上に配置された複数のＬＥＤ（Light Emitting Diode）７０１を有する。この複数のＬＥＤ７０１からの照射光が導光体７０３を経て、副走査方向における読取領域において、主走査方向に延びる読取領域を照らす。導光体７０３は、アクリルなどの透過性の高い材質で形成される。導光体７０３は、ある方向から入射した光を光ファイバーのように内部で全反射させ、所定の方向へと導く。これにより、ＬＥＤ７０１からの照射光は、照射面７０５から照射され、原稿５０１の読取領域における原稿面を照らすことができる。
【００２４】
ＬＥＤ７０１を図５（ｂ）に示すように配置することにより、原稿５０１の原稿面を照らすための光量を十分に得ることができる。また、隣り合うＬＥＤ７０１間の隙間に対応する原稿面の箇所では、照射光の光量は低くなる。しかし、光沢性の低い紙原稿であれば、読取箇所での拡散反射が起こるため、輝点ムラの発生は抑止される。
【００２５】
図６（ａ）は、第２光源５０５ａの構成例を示す略縦断面図、同（ｂ）はその略上面図（ｂ）であり、主として特徴的な部分を掲示してある。第２光源５０５ａは、第１光源５０４と同じＬＥＤ７０１を２つ含んで構成される。但し、ＬＥＤ７０１は、第２光源５０５では、基板７０２上に配置されている。このＬＥＤ７０１からの照射光が、導光体７０４を経て照射面７０６から照射され、原稿５０１の読取箇所に到達するように構成される。第２光源５０５は、また、導光体７０４へ入射される光の方向と、導光体７０４から照射される光の方向とが異なるように構成される。そのため、第１光源５０４よりも配置するＬＥＤ７０１の数を少なくすることできる。さらに、輝点ムラの発生を抑止することができる。
【００２６】
上記の様に、光沢性の高い原稿を読み取る場合、光電変換素子５１０のオーバーフローを防止する必要がある。そのためにも、第２光源５０５では、原稿５０１の読取箇所への照射光の光量を低くする必要がある。また、光沢性の高い原稿では、拡散反射がほとんど起こらず、照射光の光量が高いと輝点ムラが発生しやすくなる。そのため、第２光源５０５は、図６（ａ）、（ｂ）に示した構造のものが好適である。
【００２７】
上記の第１光源５０４（５０４ａ、５０４ｂ）及び第２光源５０５（５０５ａ、５０５ｂ）を備えた照明ユニット５１１の略縦断面図を図７に示す。照明ユニット５１１は、原稿５０１の読取箇所からの垂線を対象軸として線対象に配置された、一対の第１光源５０４と、一対の第２光源５０５とを板金７０６上に配置している。各光源５０４、５０５をこのように配置することにより、原稿５０１の読取箇所に向けて両側から第１光源の光Ｌ１、第２光源の光Ｌ２それぞれが照射される。そのため、原稿５０１の表面状態が多少凹凸であったとしても、凹凸影が発生せず、正確な読取りが可能になる。また、２方向から光を照射することで、光源の「むら」による画像への影響を低減させることができる。
【００２８】
次に、原稿読取装置５００の制御機構について説明する。図８は、この制御機構の構成ブロック図である。操作部８０１は、ユーザからの操作入力を受付ける。ＣＰＵ８０２は不図示のＲＯＭに記載されたプログラムに基づき、不図示のＲＡＭをワークメモリとして用いて、各構成を制御する。例えば、ＣＰＵ８０２は、操作部８０１を用いてユーザによって指示された読取モードの設定や読取り開始指示などに応じた制御を各構成に指示する。モータドライバ８０３は、ＣＰＵ８０２からの信号を受信すると、モータを回転させるための励磁電流を出力し、原稿読取装置５００に備わる駆動モータ８０４を駆動する。これにより、照明ユニット５１１を稼働させて、原稿の走査を可能にする。
点灯回路８０５及び点灯回路８０６は、ＣＰＵ８０２からの制御信号を受信すると、第１光源５０４、第２光源５０５を点灯させる。これにより、原稿５０１の読取箇所に、光が照射される。原稿５０１の原稿面からの反射光は、光電変換素子５１０で受光され、アナログ画像信号に変換される。
【００２９】
ＡＦＥ（アナログ・フロント・エンド）８０７は、光電変換素子５１０から出力されるアナログ画像信号に対し、各種アナログ処理と、その結果得られる画像信号をデジタルデータに変換する回路（ＩＣ）である。アナログ処理は、本例では、サンプル・ホールド処理、オフセット処理、ゲイン処理である。
【００３０】
画像処理部８０８は、ＳＨＤ（シェーディング）補正部８０９及び画像判定／合成部８１３を主として備える。ＳＨＤ補正部８０９は、ＣＭＯＳ（Complementary Metal Oxide
Semiconductor）の特性のばらつきや光源の端部光量低下といった光学的要因による問題を補正する。このような補正をＳＨＤ補正という。このＳＨＤ補正に用いられるのがＳＨＤ係数である。ＳＨＤ係数は、原稿読取装置５００に設けられた図示しない基準板部分の読取結果に基づき算出される。原稿読取装置５００では、第１光源５０４、第２光源５０５の２種類の異なる光源を備えるため、ＳＨＤ係数８１０及びＳＨＤ係数８１１が算出される。
【００３１】
画像ＲＡＭ８１２は、ＳＨＤ補正部８０９で補正された画像を保存する。画像判定／画像合成部８１３は、画像ＲＡＭ８１２に保存された第１光源を用いて読取った画像データと、第２光源を用いて読取った画像データとから原稿種類の判定を行う。さらに、この判定結果に基づき画像の合成を行う。合成された画像の画像データは、画像処理部８０８から出力される。
【００３２】
［原稿読取方法］
次に、原稿読取装置５００による読取処理方法について説明する。図９は、制御手順説明図である。
ＣＰＵ８０２は、まず、読取開始準備を行う（Ｓ９００）。具体的には、ユーザから操作部８０１を介して原稿読取開始の指示を受け付けると、ＣＰＵ８０２は第１光源５０４ａ、５０４ｂ及び第２光源５０５ａ、５０５ｂのそれぞれによる照明の下で基準板を読取らせ、ＳＨＤ係数８１０及びＳＨＤ係数８１１を算出する。そして、算出結果を図示しないメモリに保持させておく。
【００３３】
次に、ＣＰＵ８０２は、第１光源５０４ａ、５０４ｂの照明の下で原稿読取を行わせる（Ｓ９０１）。すなわち、点灯回路８０５を通じて第１光源５０４（光源５０４ａ、５０４ｂ）を点灯させる。このとき、第２光源５０５（光源５０５ａ、５０５ｂ）は、ＯＦＦとする。ＣＰＵ８０２は、照明ユニット５１１を副走査方向に移動させる。照明ユニット５１１の移動は、モータドライバ８０３が駆動モータ８０４を駆動させることにより行われる。原稿５０１からの反射光は、光電変換素子５１０に導かれる。
【００３４】
光電変換素子５１０は、受光した反射光をアナログ画像信号に変換する。ＡＦＥ８０７は、このアナログ画像信号からデジタル画像データを生成する。生成されたデジタル画像データは、ＳＨＤ補正部８０９でＳＨＤ係数８１０に基づき補正される。このようにして得られたデジタル画像データを第１画像データと呼ぶ（Ｓ９０２）。このようにして取得された第１画像データは、所定のメモリ、例えばＲＡＭ８１２に保存される（Ｓ９０３）。
【００３５】
第１画像データの保存が完了すると、ＣＰＵ８０２は、第２光源５０５（光源５０５ａ、５０５ｂ）の照明の下で原稿読取を行わせる（Ｓ９０４）。すなわち、点灯回路８０６を制御して第２光源５０５を点灯させる。このとき、第１光源５０４（光源５０４ａ、５０４ｂ）は、ＯＦＦとする。ＣＰＵ８０２は、照明ユニット５１１を副走査方向に移動させる。原稿５０１からの反射光は、光電変換素子５１０に導かれる。
【００３６】
光電変換素子５１０は、受光した反射光をアナログ画像信号に変換する。ＡＦＥ８０７は、このアナログ画像信号からデジタル画像データを生成する。生成されたデジタル画像データは、ＳＨＤ補正部８０９でＳＨＤ係数８１１に基づき補正される。このようにして得られたデジタル画像データを、第２画像データと呼ぶ（Ｓ９０５）。
画像判定／画像合成部８１３は、このようにして取得された第２画像データ（輝度値）を既に保存されている第１画像データ（輝度値）と画素毎に比較する。そして、この比較結果に基づき原稿種類を判定する（Ｓ９０６）。
【００３７】
原稿種類の判定は、原稿５０１の光沢度の差異について、各画像データのＲ（赤）、Ｇ（緑）、Ｂ（青）毎に行われる。
この判定手法を、図１０を参照して詳細に説明する。図１０の横軸は、第１画像データを２５６階調で表したときの輝度値であり、縦軸は、第２画像データを２５６階調で表したときの輝度値である。縦軸上のＡ点は、原稿が金属光沢があるか否かを判定するための閾値である。金属光沢とは、光沢性が非常に高い、箔押し原稿のような金色、銀色などをいう。
【００３８】
図１０中のＢ点は、第１光源５０４と第２光源５０５の原稿表面の照度比で決定される点である。例えば第１光源の照度：第２光源の照度＝３：１であれば、Ｂ点は２５５／３で８５と算出される。通常、紙原稿でも少なからず光沢はある。そのため、原点からＢ点を結ぶ直線と横軸とで囲まれた領域や、第１画像データと第２画像データとが共に高い輝度値となる領域はない。そのため、これらの領域を、図１０中「存在しない原稿」としている。
【００３９】
図１０中の幅Ｃは、原点からＢ点を結ぶ直線から縦軸上方へ向かう領域の中で、どこまで紙原稿として判定するかを示すものである。光沢性のきわめて低い原稿であれば、第１光源５０４と第２光源５０５との光量比較値が、そのまま各画像データの比較値になるので、原点からＢ点を結ぶ直線上の値をとることになる。しかし、紙原稿でも少なからず光沢があることは、上述したとおりである。そのため、原点からＢ点を結ぶ直線から縦軸上方へ向かう領域は、「つや有り原稿」と判定されてしまう。これを回避するために、紙原稿と判定する領域を予め幅Ｃとして設定するのである。
なお、Ｂ点は照度比により一意に決定されるが、Ａ点、幅Ｃは、ユーザ側で設定することができる。
【００４０】
このように、画像判定／合成部８１３では、第１画像データと第２画像データ２との輝度値を画素毎に順次比較するので、メモリの消費量を画像１枚分で済ませることができる。
【００４１】
図９に戻り、ＣＰＵ８０２は、画像判定／画像合成部８１３に原稿種類の判定結果に応じた画像処理を行わせる（Ｓ９０７）。画像処理は、例えば、紙原稿と判定された画素は第１画像データを選択し、他方、金属光沢原稿と判定された画素は第２画像データを選択する。その後、これらを合成する。また、つや有り原稿と判定された画素は、紙原稿より明るいことを表現するために、第１画像データにゲイン又はオフセットを用いた処理を行う。このように画素ごとに選択および処理を行うことにより、合成処理を実現する。
ＣＰＵ８０２は、このようにして合成された画像データ、すなわち原稿を再現した画像データを出力し（Ｓ９０８）、読取処理のための制御を終了する。
【００４２】
上記の処理において、第１光源５０４の下で第１画像データを得る処理（Ｓ９０１〜Ｓ９０３）は往路走査時に行われ、第２光源５０５の下で第２画像データを得る処理（Ｓ９０４〜Ｓ９０５）は復路走査時に行われる。これにより、１往復の走査で２つの画像データが取得されるため、読取効率を高めることができる。
制御手順の他の例として、ライン単位で第１光源５０４、第２光源５０５を切り替えながら走査しても良い。このようにすれば、往路走査だけで２つの画像データを取得するように制御することができる。
【００４３】
このように、本実施形態の原稿読取装置５００では、原稿５０１の読取箇所からの垂線を対象軸として線対象に配置された一対の第２光源５０５から光が照射されるため、光沢性の高い原稿を読取る際の凹凸影の発生を抑止することができる。また、読取箇所に対して、両側から光を照射することで、光源の「むら」による画像への影響を低減させることができる。
また、第２光源５０５は、第１光源５０４よりも低い原稿面照度で照射されるため、光沢性の高い原稿を読取る際の輝点ムラの発生を防止することができる。
【００４４】
第１光源５０４についても同様に、読取箇所からの垂線を対象軸として、両側から光を照射するため、紙原稿の凹凸や光源の「むら」による原稿読取への影響を低減させることができる。
また、画像判定／画像合成部８１３により原稿種類が判定され、第１画像データ及び第２画像データから原稿種類に応じて画素が選択されて合成されるため、読取り品質の高い再現画像を出力することができる。
【００４５】
［第２実施形態例］
次に、リフレクタ（Reflector：反射板、反射装置）を介して原稿５０１に光を照射する場合の実施形態例を説明する。
【００４６】
図１１は、本実施例の照明ユニット１１１１の構成例を示す略縦断面図であり、主として特徴的な部分を掲示してある。第１実施形態で説明したものと重複する部分については、同じ符号を用い、重複説明を省略する。
第１実施形態例との主たる違いは、照明ユニットの構成である。すなわち、第１光源５０４の一方に代えてリフレクタ１１０３、第２光源５０５の一方に代えてリフレクタ１１０４を用いた点である。また、第１光源１１０１、第２光源１１０２それぞれは、２方向に光を照射することができるように構成されている。
【００４７】
リフレクタ１１０３は、入射された第１光源１１０１からの光Ｌ１を反射させ、反射光ＲＬ１を原稿５０１の読取箇所に照射させるように構成されている。リフレクタ１１０４は、入射された第２光源１１０２からの光Ｌ２を反射させ、反射光ＲＬ２を原稿５０１の読取箇所に照射させるように構成されている。
【００４８】
図１２（ａ）は、紙原稿を読取るための第１光源１１０１の構成例を示す略縦断面図であり、同（ｂ）は、その上面図である。導光体１２０１は、ＬＥＤ７０１からの照射光を２方向に向けて照射できるように、照射面１００５と照射面１００６とが形成されている。照射面１００５からの照射光は、原稿５０１に向けて照射される。また、照射面１００６からの照射光は、リフレクタ１１０３に向けて照射される。
【００４９】
図１３（ａ）は、光沢性の高い原稿を読取るための第２光源１１０２の構成例を示す略縦断面図であり、同（ｂ）はその上面図である。導光体１２０２は、ＬＥＤ７０１からの照射光を２方向に向けて照射できるように、照射面１００７と照射面１００８とが形成されている。照射面１００７からの照射光は、原稿５０１に向けて照射され、照射面１００８からの照射光は、リフレクタ１１０４に向けて照射される。
【００５０】
図１４は、上記で説明した第１光源１１０１、第２光源１１０２を用いた照明ユニット１１１１の構成例を示す略縦断面図である。照明ユニット５１１は、原稿５０１の読取り箇所からの垂線を対象軸として線対象に配置された、第２光源１１０２とリフレクタ１１０４とを板金１１０６上に備えて成る。照明ユニット５１１は、さらに、原稿５０１の読取り箇所からの垂線を対象軸として線対象に配置された、第１光源１１０１とリフレクタ１１０３とを板金１１０６上に備える。
【００５１】
このように、本実施形態では、原稿５０１の読取り箇所からの垂線を対象軸として線対象に配置された第２光源１１０２と、リフレクタ１１０４とにより両側から光が照射されるため、光沢性の高い原稿を読取る際の凹凸影の発生を抑止することができる。
さらに、第２光源１１０２から照射光をリフレクタ１１０４で反射する構成であるため、装置全体のコストの削減や、機器のメンテナンス費用の低減、消費電力の削減などができる。
【００５２】
上記説明した実施形態は、本発明をより具体的に説明するためのものであり、本発明の範囲が、これら実施例に限定されるものではない。
【符号の説明】
【００５３】
５００・・・原稿読取装置、５０、５１、５０１・・・原稿、５０２・・・圧板、５０３・・・原稿台ガラス、５０４（５０４ａ、５０４ｂ）・・・第１光源、５０５（５０５ａ、５０５ｂ）・・・第２光源、５０６・・・第１ミラー、５０７・・・第２ミラー、５０８・・・第３ミラー、５０９・・・集光レンズ、５１０・・・光電変換素子、５１１、１１１１・・・照明ユニット、５１２・・・導光ユニット、７０１・・・ＬＥＤ、７０２・・・ＬＥＤ基板、７０３、７０４・・・導光体、７０５、７０６、１００５、１００６、１００７、１００８・・・導光体照射面、７０６、１００６・・・板金、８０１・・・操作部、８０２・・・ＣＰＵ、８０３・・・モータドライバ、８０４・・・駆動モータ、８０５、８０６・・・点灯回路、８０７・・・ＡＦＥ、８０８・・・画像処理部、８０９・・・ＳＨＤ補正部、８１０、８１１・・・ＳＨＤ補正係数、８１２・・・画像ＲＡＭ、８１３・・・画像判定／合成部、１１０１・・・２方向に照射可能な第１光源、１１０２・・・２方向に照射可能な第２光源、１１０３、１１０４・・・リフレクタ、１２０１、１２０２・・・照射面を２つ持つ導光体。
【図１】
2014230116.tif 000003
【図５】
2014230116.tif 000004
【図６】
2014230116.tif 000005
【図７】
2014230116.tif 000006
【図８】
2014230116.tif 000007
【図９】
2014230116.tif 000008
【図１０】
2014230116.tif 000009
【図１１】
2014230116.tif 000010
【図１２】
2014230116.tif 000011
【図１３】
2014230116.tif 000012
【図１４】
2014230116.tif 000013
【図１６】
2014230116.tif 000014
【図１７】
2014230116.tif 000015
【図２】
2014230116.tif 000016
【図３】
2014230116.tif 000017
【図４】
2014230116.tif 000018
【図１５】
2014230116.tif 000019
【図１８】
2014230116.tif 000020